(57)【要約】【課題】光ディスクのβ値を用いたＯＰＣにおいて、広範囲に亘り記録パワーを変化させ最適な記録パワーを算出し設定することのできる光ディスク装置およびその制御方法を提供する。【解決手段】光ディスク装置のＯＰＣにおいて、記録パワーを変化させて記録型光ディスクにデータを記録するとき、記録パワーのバイアスパワーを記録型光ディスクのバイアスパワーの標準値に所定の第１の係数を乗じたバイアスパワーで記録し、記録されたデータを再生し測定されたβ値に基づいて算出された仮の記録パワーに所定の第２の係数を乗じた記録パワーを最適な記録パワーとして設定する。【選択図】  図１
2009015883.tif 000002
【特許請求の範囲】
【請求項１】
記録パワーを変化させて記録型光ディスクにデータを記録する記録手段と、
前記記録手段によって記録されたデータを再生しＲＦ信号を生成する再生手段と、
前記再生手段によって生成されたＲＦ信号からβ値を測定するβ値測定手段と、
前記β値測定手段によって測定された前記β値に基づいて記録パワーを算出し設定する記録パワー算出手段とを有し、
前記記録手段は、前記記録型光ディスクの記録パワーの標準値に所定の第１の係数を乗じた記録パワーで記録し、
前記記録パワー算出手段は、測定された前記β値に基づいて算出された記録パワーに所定の第２の係数を乗じた記録パワーを最適な記録パワーとして設定することを特徴とする光ディスク装置。
【請求項２】
前記第１の係数は０．６〜０．８であり、前記第２の係数は１．３〜１．５であることを特徴とする請求項１記載の光ディスク装置。
【請求項３】
記録パワーを変化させて記録型光ディスクにデータを記録する記録手段と、
前記記録手段によって記録されたデータを再生しＲＦ信号を生成する再生手段と、
前記再生手段によって生成されたＲＦ信号からβ値を測定するβ値測定手段と、
前記β値測定手段によって測定された前記β値に基づいて記録パワーを算出し設定する記録パワー算出手段とを有し、
前記記録手段は、記録パワーを変化させて前記記録型光ディスクにデータを記録する際、小ビット間隔のマークを除いたデータを記録することを特徴とする光ディスク装置。
【請求項４】
前記小ビット間隔のマークは２Ｔのマークであることを特徴とする請求項３記載の光ディスク装置。
【請求項５】
前記小ビット間隔のマークは２Ｔと３Ｔのマークであることを特徴とする請求項３記載の光ディスク装置。
【請求項６】
記録パワーを変化させて記録型光ディスクにデータを記録する工程と、
前記データを前記記録する工程において記録されたデータを再生しＲＦ信号を生成する工程と、
前記ＲＦ信号を前記生成する工程において生成されたＲＦ信号からβ値を測定する工程と、
前記β値を前記測定する工程において測定された前記β値に基づいて記録パワーを算出し設定する工程とを有し、
前記記録する工程において、前記記録型光ディスクの記録パワーの標準値に所定の第１の係数を乗じた記録パワーで記録し、
前記記録パワーを前記算出し設定する工程において、測定された前記β値に基づいて算出された前記記録パワーに所定の第２の係数を乗じた記録パワーを最適な記録パワーとして設定することを特徴とする光ディスク装置の制御方法。
【発明の詳細な説明】
【技術分野】
【０００１】
本発明は、ＣＤ、ＤＶＤあるいはＨＤ ＤＶＤなどを扱う光ディスク装置に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスク ＨＤ ＤＶＤ(High Density Digital Versatile Disk)も市場に投入されるようになった。
【０００３】
上記光ディスクの中で記録可能な光ディスクに対してデータを記録する場合には、適切な記録パワーで記録する必要がある。このため、光ディスクのＰＣＡ（Power calibration area）に試し書きを行い、このデータを再生し、最適な記録パワーを決定する処理が行われ、この一連の処理はＯＰＣ（Optimum Power Control）と呼ばれている。ＯＰＣは、光ディスク装置の動作環境、搭載された光ディスクの状態、記録速度などで変化するので、最適な記録パワーを実際の記録動作環境に近い条件で決定するために、記録開始前に実行される。
【０００４】
ＯＰＣの具体的な方法の一つとして、ＰＣＡに記録パワーを数段階或いは十数段階に亘って変化させながら、ランダムパターン（ランダムデータ）や定型パターンのデータを記録し、記録されたデータを再生して、β値またはエラーレート、または各種波形データを評価し、それぞれの指標に基づいた演算方法によって、最適な記録パワーを決定する方法がある。
【０００５】
β値は、再生信号のＲＦ信号の上下のアンバランスの程度を示す値であり、再生信号品位を評価する際に利用されている。β値は、ＲＦ信号をＡＣ結合したときのエンベロープのピーク電圧をＡ、ＲＦ信号のエンベロープのボトム電圧をＢとすると、β＝（Ａ−Ｂ）／（Ａ＋Ｂ）で算出される。通常β≒０のときにアンバランスが小さく、再生信号品位がよいとされ、ＯＰＣの一つの指標として使われている。
【０００６】
しかしながら、記録に用いられる光ディスクは各種存在し、光ディスク装置に搭載した光ディスクに最適なβ値が必ずしも得られるとは限らないという問題がある。この問題を解決するため、記録パワー毎のβ値の変化率が所定の閾値以上となる範囲にデフォルトのβ値が含まれるか否かを判定してβ値を決定する方法が考えられている。（例えば特許文献１参照。）
【特許文献１】特開第３７２２０１７号公報
【発明の開示】
【発明が解決しようとする課題】
【０００７】
青紫色の波長のレーザ光を用いて情報を記録するＨＤ ＤＶＤ−Ｒ型の光ディスクでは、２Ｔ（Ｔは最小ビット間隔）から１４Ｔまでの記録マークが存在するが、２Ｔ信号は情報記録面上のスポットサイズよりも小さい。２Ｔマークを生成するためにバイアスパワーが必要であるが、ＤＶＤ−Ｒ型の光ディスクに適用されていた従来のＯＰＣの記録パワーの大小の振り方や記録パターンでは、ハイパワー時に、バイアスパワーによってスペース信号の部分も記録されたような状態になってしまうという問題がある。
【０００８】
そのため、ハイパワー領域では、記録パワーとβ値の線形成が急激に崩れしまい、最適なβ値ではないにも拘わらず、最適なβ値として検出されてしまうような偽のβ値が現れ、その偽のβ値から誤った記録パワーを設定してしまう場合がある。
【０００９】
図７は従来のＤＶＤ−ＲのＯＰＣにおける記録パワーとβ値の関係を示した図である。記録パワーが小パワーのときは、β値が大きく、記録パワーが大きくなるに連れてβ値は減少し、β値はゼロとなり、更に記録パワーが大きくなるとβ値は更に減少するが、ある程度記録パワーが大きくなると変化率が小さくなってくる。β値≒０を挟んだ比較的小パワーの範囲では、記録パワーとβ値の関係はリニアな関係である。最適β値における記録パワーが最適な記録パワーとなる。例えば、ＤＶＤ−Ｒの４倍速記録では２０ｍＷ、８倍速記録では４０ｍＷといった記録パワーが設定される。
【００１０】
図８は従来のＤＶＤ−Ｒに記録する際の記録データ信号とレーザ発光波形の模式図である。この場合バイアスパワーＰｂは０．５ｍＷ〜１ｍＷ（milli-Watt)、記録パワーは、前述したように４倍速記録では２０ｍＷ、８倍速記録では４０ｍＷである。
【００１１】
図９は、従来のＨＤ ＤＶＤ−ＲのＯＰＣにおける記録パワーとβ値の関係を示した図である。ＤＶＤ−Ｒと同様に比較的小パワーの範囲では、記録パワーとβ値の関係はリニアな関係であるが、記録パワーが大きくなるとβ値が上昇に転じ、またβ値≒０となるような値が存在する。この状態ではバイアスパワーによって２Ｔ、３Ｔのような小ビット間隔のスペース信号の部分が、マーク記録までしっかり記録された状態ではないが、未記録状態でもないような擬似記録状態となり、結果としてβ値が上昇し、β値≒０となる偽の最適なβ値が現れてしまう。この記録パワーが大きい位置での偽の最適なβ値による記録パワーは、実際には最適な記録パワーではない。このような現象が発生するため、大きな記録パワーになるまで記録パワーを振ることができないという問題がある。
【００１２】
図１０は、従来のＨＤ ＤＶＤ−Ｒに記録する際の記録データ信号とレーザ発光波形の模式図である。この場合バイアスパワーＰｂは５ｍＷ〜７ｍＷ、記録パワーは、１倍速記録で１２ｍＷ〜１５ｍＷである。従来、記録パワーを小パワーから大パワーに変化させるとき、レーザ発光波形は相似形で変化させていた。従ってバイアスパワーＰｂも変化し、Ｐｂが８ｍＷを超えると前述した擬似記録状態の兆候が現れる。
【００１３】
ＯＰＣの目的は、ＯＰＣは、光ディスクのばらつき、光ディスク装置のばらつき、温度等の動作環境を考慮して、記録状態、再生状態を確認することであるため、広範囲に亘って記録パワーを振って最適な記録パワーを算出、設定することが望まれる。
【００１４】
本願は上記した事情に鑑み成されたものであって、β値を用いたＯＰＣにおいて、広範囲に亘り記録パワーを変化させ最適な記録パワーを算出し設定することのできる光ディスク装置およびその制御方法を提供することを目的とする。
【課題を解決するための手段】
【００１５】
上記目的を達成するために、本発明の光ディスク装置は、記録パワーを変化させて記録型光ディスクにデータを記録する記録手段と、前記記録手段によって記録されたデータを再生しＲＦ信号を生成する再生手段と、前記再生手段によって生成されたＲＦ信号からβ値を測定するβ値測定手段と、前記β値測定手段によって測定された前記β値に基づいて記録パワーを算出し設定する記録パワー算出手段とを有し、前記記録手段は、前記記録型光ディスクの記録パワーの標準値に所定の第１の係数を乗じた記録パワーで記録し、前記記録パワー算出手段は、測定された前記β値に基づいて算出された記録パワーに所定の第２の係数を乗じた記録パワーを最適な記録パワーとして設定することを特徴とする。
【００１６】
また、上記目的を達成するために、本発明の光ディスク装置の制御方法は、記録パワーを変化させて記録型光ディスクにデータを記録する工程と、前記記録手段によって記録されたデータを再生しＲＦ信号を生成する工程と、前記再生手段によって生成されたＲＦ信号からβ値を測定する工程と、前記β値測定手段によって測定された前記β値に基づいて記録パワーを算出し設定する工程とを有し、前記記録する工程において、前記記録型光ディスクの記録パワーの標準値に所定の第１の係数を乗じた記録パワーで記録し、前記記録パワーを算出し設定する工程において、測定された前記β値に基づいて算出された前記記録パワーに所定の第２の係数を乗じた記録パワーを最適な記録パワーとして設定することを特徴とする。
【発明の効果】
【００１７】
本発明によれば、ＨＤ ＤＶＤ−Ｒ光ディスクのβ値を用いたＯＰＣにおいて、広範囲に亘り記録パワーを変化させ最適な記録パワーを算出し設定することができることにより、ＨＤ ＤＶＤ−Ｒに対して安定な記録動作が可能となる。
【発明を実施するための最良の形態】
【００１８】
以下本発明の実施例について図面を参照しながら説明する。
【００１９】
図１は、本発明が適用される光ディスク装置１の構成を示すブロック図である。光ディスク２は、例えばＨＤ ＤＶＤ−Ｒ、ＨＤ ＤＶＤ−Ｒ ＤＬ（Dual layer）のようなユーザデータを記録可能な光ディスクである。光ディスク２の情報記録面にはスパイラル状にトラックが形成されており、この光ディスク２はディスクモータ３によって回転駆動される。ディスクモータ３はディスクモータ制御回路４によって制御されている。
【００２０】
光ディスク２に対する情報の記録、再生は、光ピックアップ５によって行われる。光ピックアップ５には、対物レンズ６が設けられており、対物レンズ６はフォーカス方向駆動コイル７の駆動によりフォーカスシング方向（レンズの光軸方向）への移動が可能で、またトラック方向駆動コイル８の駆動によりトラッキング方向（レンズの光軸と直交する方向）への移動が可能である。
【００２１】
変調回路９は情報記録時にホスト装置２３からインターフェース回路２２を介して供給されるデータを変調し、変調されたデータをレーザ制御回路１０へ提供する。レーザ制御回路１０は情報記録時（マーク形成時）に、変調回路９から供給される変調されたデータに基づいて、書き込み用信号を光ピックアップ５内のレーザダイオード１１に供給する。
【００２２】
レーザダイオード１１は、レーザ制御回路１０から供給される電圧に応じてレーザ光を発生する。レーザダイオード１１から発せられるレーザ光は、光学部品１２及び対物レンズ６を介して光ディスク２に照射される。光ディスク２からの反射光は、対物レンズ６、光学部品１２を介して光ピックアップ５内の光検出器１３に導かれる。光検出器１３からの出力信号は、ＲＦアンプ１４へ供給される。
【００２３】
ＲＦアンプ１４は、フォーカスエラー信号及びトラッキング信号を生成し、フォーカスエラー信号及びトラッキング信号はＡ／Ｄ変換されバス１８を介してＣＰＵ１９へ出力される。ＣＰＵ１９は、フォーカスシング制御信号及びトラッキング制御信号を生成する。それらの信号は、光ピックアップ５のフォーカス方向駆動コイル及びトラック方向駆動コイルに供給され、レーザ光が光ディスク２の情報記録面上のトラックに追従し常時ジャストフォーカスとなるように対物レンズ６が制御される。またＲＦアンプ１４は、記録データのデータ再生信号を生成し、データ再生回路１６へ出力する。さらにＲＦアンプ１４は、β値測定回路１５にＲＦ信号を供給する。
【００２４】
β値測定回路１５は、ＲＦ信号をＡＣ結合したときのエンベロープのピーク電圧をホールドし、またＲＦ信号のエンベロープのボトム電圧をホールドし、さらにそれらホールド値をＡ／Ｄ変換して、バス１８を介してＣＰＵへ伝送する。
【００２５】
データ再生回路１６は、ＰＬＬ回路１７からの再生用クロック信号に基づき、記録データを再生する。データ再生回路１６で再生された再生データは、付与されているエラー訂正コードを用いて図示しないエラー訂正回路でエラー訂正を行った後、インターフェース回路２２を介してホスト装置２３に出力される。
【００２６】
ディスクモータ制御回路４、変調回路９，レーザ制御回路１０、β値測定回路１５、データ再生回路１６、ＰＬＬ回路１７等は、バス１８を介してＣＰＵ（Central Processing Unit）１９によって制御される。
【００２７】
ＣＰＵ１９はインターフェース回路２２を介してホスト装置２３から供給される動作コマンドに従って、この光ディスク記録再生装置１を総合的に制御する。また、ＣＰＵ１９は、ＲＡＭ（Random Access Memory）２０を記録再生時のバッファメモリ等の作業エリアとして使用し、ＲＯＭ（Read Only Memory）２１に記憶されたプログラムに従った所定の制御を行う。ＲＯＭ２１内には、ＯＰＣ処理のプログラムが格納されている。
【００２８】
ＲＯＭ２１内には、各種光ディスクの記録パワーの標準値とバイアスパワーの標準値が記憶されている。これらのデータは光ディスク装置１の製造工程において、ＲＯＭ２１内に記憶される。またＨＤ ＤＶＤ−Ｒ型の光ディスク２については、ＯＰＣにおいて、記録パワーの標準値とバイアスパワーの標準値に乗ずる第１の係数Ｋ１が記憶されており、また測定されたβ値に基づいて算出された記録パワーに乗ずる第２の係数Ｋ２が記憶されている。
【００２９】
図２はβ値を用いたＯＰＣの動作を示すフローチャートである。Ｓ１において、光ディスク装置１に光ディスク２が装着され、初期動作において、ＣＰＵ１９は光ディスク２のＩＤを取得する。ＣＰＵ１９は、装着された光ディスクの種類を判別する。光ディスクのＩＤの情報内には推奨記録パワーが含まれている場合があるが、ＣＰＵ１９は、ＲＡＭ２０に一時的に取り込む。
【００３０】
Ｓ２において、ＣＰＵ１９は、Ｓ１において判別された光ディスクの種類に基づいて、記録パワーの標準値とバイアスパワーの標準値をＲＯＭ２１から取得する。光ディスク２がＨＤ ＤＶＤ−Ｒ型或いはＨＤ ＤＶＤ−Ｒ ＤＬ型の光ディスクであれば、第１の係数Ｋ１と第２の係数Ｋ２も取得する。
【００３１】
Ｓ３において、ＣＰＵ１９は、光ディスク２のＰＣＡエリアに小記録パワーから大記録パワーに向かって数段階から十数段階に亘って順次記録パワーを変化させながら所定の記録データを記録する。ここでは例として１５段階に分割している。小パワーから大パワーの範囲は記録パワーの標準値の±４０％〜±５０％の範囲が望ましい。光ディスク２がＨＤ ＤＶＤ−Ｒ型の場合には、記録パワー及びバイアスパワーは、記録パワー及びバイアスパワーの標準値に第１の係数Ｋ１（Ｋ１＜１）を乗じた記録パワーで記録する。
【００３２】
図３は、ＨＤ ＤＶＤ−Ｒ／ＤＬに記録する際の記録データ信号とレーザ発光波形の模式図である。記録パワーＰｗの標準値は１倍速で１２ｍＷ〜１５ｍＷ、バイアスパワーＰｂの標準値は５ｍＷ〜７ｍＷであり、第１の係数Ｋ１は０．６〜０．８である。例えば、バイアスパワーＰｂの標準値が６ｍＷの光ディスク２に対して、例えば、第１の係数Ｋ１が０．７の係数を乗じた場合には、バイアスパワーＰｂは４．２ｍＷとなる。記録パワーＰｗの標準値が１倍速で１２ｍＷとすると、記録パワーＰｗは、８．４ｍＷとなる。ＯＰＣにおける基準となる記録パワーＰｗは８．４ｍＷ、バイアスパワーＰｂ４．２ｍＷとなる。この基準となる記録パワーに対して例えば±４０％の範囲で記録パワーを変化させと、記録パワーは５．０ｍＷ〜１１．８ｍＷであり、これを１５段階に分割すると、約０．４８ｍＷずつ記録パワーを変化させながら記録していくことになる。バイアスパワーＰｂは２．５ｍＷ〜５．９ｍＷである。０．６〜０．８である第１の係数Ｋ１を乗ずることによってバイアスパワーが減少し、大きな記録パワーで記録した場合でも、Ｐｂが８ｍＷを超えるような状況がなくなりスペース信号部分の擬似記録状態が回避できる。但し更に大きな記録パワーを供給すれば、スペース信号部分の擬似記録状態が発生する。
【００３３】
図２に戻って、Ｓ４においてβ値測定手段によってβ値を算出する。記録されたデータを再生しＲＦアンプによって生成されたＲＦ信号がβ値測定回路１５へ供給され、β値測定回路１５が、ＲＦ信号をＡＣ結合したときのエンベロープのピーク電圧をホールドし、またＲＦ信号のエンベロープのボトム電圧をホールドし、さらにそれらホールド値をＡ／Ｄ変換し、バス１８を介してＣＰＵへ伝送する。ＣＰＵはＡ／Ｄ変換されたピーク値Ａとボトム値Ｂからβ＝（Ａ−Ｂ）／（Ａ＋Ｂ）の式を用いてβ値を演算し算出する。
【００３４】
ＨＤ ＤＶＤ−Ｒにおいては、ここで得られたβ値は仮のβ値である。バイアスパワーＰｂに第１の係数Ｋ１を乗じているために、第１の係数Ｋ１を乗じていない本来のバイアスパワーＰｂにおけるβ値と異なっている。
【００３５】
Ｓ５において、記録パワー算出手段によって最適パワーを算出する。β≒０における記録パワーが最適記録パワーとなるが、ＨＤ ＤＶＤ−Ｒにおいては、Ｓ４で算出されたβ値は仮のβ値であり、この仮のβ値から算出された最適な記録パワーも仮の記録パワーとなる。ＣＰＵ１９は、ＲＯＭ１９から第２の係数Ｋ２を取り出し、仮の最適な記録パワーに第２の係数Ｋ２を乗ずることによって、本来の最適な記録パワーを算出する。最適なバイアスパワーについても記録パワーと同様に算出できる。
【００３６】
図４はＨＤ ＤＶＤ−Ｒ／ＤＬのＯＰＣにおける記録パワーと仮のβ値の関係を示した図である。バイアスパワーＰｂに第１の係数Ｋ１を乗じている状態でのβ≒０における記録パワーは本来の記録パワーよりも小さな値となる。第１の係数Ｋ１が０．６〜０．８である場合には、仮のβ値のより求められた最適な記録パワーに第２の係数Ｋ２（Ｋ２＞１）を乗ずる必要がある。第１の係数Ｋ１が０．６〜０．８である場合には、実験結果からＫ２は１．３〜１．５である。最適な記録パワーは、仮のβ値から算出された記録パワーに、例えば１．４の値を乗じた値となる。
【００３７】
以上のように標準の記録パワー及びバイアスパワーに第１の係数Ｋ１を乗ずることによって、記録パワーＰｗを±４０％〜±５０％を振った場合でも、スペース部分の擬似記録を防止することができ、記録パワーとβ値が比例関係にある状態から仮のβ値を算出することが可能となる。また仮のβ値から算出した記録パワー及びバイアスパワーに第２の係数Ｋ２を乗ずることによって最適な記録パワー及びバイアスパワーを算出することができる。
【００３８】
図５は、第２の実施形態におけるＨＤ ＤＶＤ−Ｒ／ＤＬに記録する際の記録データ信号とレーザ発光波形の模式図である。この記録データにおいては、記録パワーを変化させて前記記録型光ディスクにデータを記録する際、２Ｔのような小ビット間隔のマークを除いたデータを記録することを特徴としている。
【００３９】
バイアスパワーＰｂの大きさによって影響を受け易いのは２Ｔ、３Ｔのような小ビット間隔のマークとスペース部分である。マークはバイアスパワーＰｂが小さいとしっかり記録されず、スペース部分は、バイアスパワーＰｂが大きいと擬似記録状態となる。特にスペース部分が擬似記録状態になると、記録パワーとβ値の比例関係を阻害してしまう。
【００４０】
図６は、ＨＤ ＤＶＤ−Ｒ／ＤＬのＯＰＣにおいて２Ｔマークを除いた場合の記録パワーとβ値の関係を示した図である。２Ｔマーク、２Ｔのスペース信号を記録しないことによって、記録パワーが大きくなっても、図１２で示したような記録パワーが大きくなるに連れてβ値が大きくなるような状態は起きない。３Ｔマークを記録しない場合は、さらにそのような状態は発生しなくなる。
【００４１】
以上のように、ＨＤ ＤＶＤ−Ｒ／ＤＬにおいて、β値を用いて最適な記録パワーを決定するとき、バイアスパワーＰｂの大きさによって影響を受け易い２Ｔのような小ビット間隔のマークを除いたデータを試し書きすることによって、記録パワーとβ値の線形関係を維持でき、記録パワーを±４０％〜±５０％を振ることができ、ＯＰＣにおける記録パワーレンジを確保することができる。
【図面の簡単な説明】
【００４２】
【図１】本発明が適用される光ディスク装置１の構成を示すブロック図。
【図２】β値を用いたＯＰＣの動作を示すフローチャート。
【図３】ＨＤ ＤＶＤ−Ｒ／ＤＬに記録する際の記録データ信号とレーザ発光波形の模式図。
【図４】ＨＤ ＤＶＤ−Ｒ／ＤＬのＯＰＣにおける記録パワーと仮のβ値の関係を示した図。
【図５】第２の実施形態におけるＨＤ ＤＶＤ−Ｒ／ＤＬに記録する際の記録データ信号とレーザ発光波形の模式図。
【図６】ＨＤ ＤＶＤ−Ｒ／ＤＬのＯＰＣにおいて２Ｔマークを除いた場合の記録パワーとβ値の関係を示した図。
【図７】従来のＤＶＤ−ＲのＯＰＣにおける記録パワーとβ値の関係を示した図。
【図８】従来のＤＶＤ−Ｒに記録する際の記録データ信号とレーザ発光波形の模式図。
【図９】従来のＨＤ ＤＶＤ−ＲのＯＰＣにおける記録パワーとβ値の関係を示した図。
【図１０】従来のＨＤ ＤＶＤ−Ｒに記録する際の記録データ信号とレーザ発光波形の模式図。
【符号の説明】
【００４３】
１  光ディスク装置
２  光ディスク
３  ディスクモータ
５  光ピックアップ
９  変調回路
１０  レーザ制御回路
１３  光検出器
１４  ＲＦアンプ
１５  β値測定回路
１６  データ再生回路
１７  ＰＬＬ
１８  バス
１９  ＣＰＵ
２０  ＲＡＭ
２１  ＲＯＭ
【図１】
2009015883.tif 000003
【図２】
2009015883.tif 000004
【図３】
2009015883.tif 000005
【図４】
2009015883.tif 000006
【図５】
2009015883.tif 000007
【図６】
2009015883.tif 000008
【図７】
2009015883.tif 000009
【図８】
2009015883.tif 000010
【図９】
2009015883.tif 000011
【図１０】
2009015883.tif 000012